(57)【要約】      （修正有）【課題】流体容器を収納して容易に移動させる。【解決手段】開口部を有し、流体を収容する流体容器が収納される本体部１０と、本体部１０の長さ方向の一側面１０ａに形成され、本体部１０に収納される流体容器の口部を外部に露出させる露出口１２と、本体部１０の流体容器を収納するための開口部を開閉する蓋部２０と、蓋部２０に設けられた蓋取手部３１，３２と、本体部１０の下面に設けられた本体取手部とを備える。【選択図】図４
2015205712.tif 000002
【特許請求の範囲】
【請求項１】
流体を収容する流体容器を収納し得、上記流体容器を出し入れ可能とする開口部と、収納された上記流体容器の一部を外部に露出させ得る、上記開口部の成す開口面に対して異なる角度の開口面となるように設けられる露出口と、第一の取手部と、を有する本体部と、
上記本体部に設けられ、上記開口部を開閉し得、第二の取手部を有する蓋部と、
を備えることを特徴とする流体容器装着アダプタ。
【請求項２】
前記開口部の成す開口面に対する前記露出口の成す開口面の設定角度が略直角であることを特徴とする請求項１に記載の流体容器装着アダプタ。
【請求項３】
前記蓋部は、前記本体部における、前記露出口に直交し且つ対向する各側面にそれぞれ対向して設けられ、観音開き式に開閉可能な一対の蓋半体で構成されることを特徴とする請求項１又は２に記載の流体容器装着アダプタ。
【請求項４】
前記第一の取手部と、前記第二の取手部とは、把持可能に延設されて成る把持部と該把持部の両端からそれぞれ該把持部に対して略直交して延設される基端部とを有して略コ字形に形成され、それぞれ互いに略直交した向きで設けられることを特徴とする請求項１乃至３の何れかに記載の流体容器装着アダプタ。
【請求項５】
前記第二の取手部は、一対を成す前記蓋半体のそれぞれに一つずつ設けられることを特徴とする請求項３に記載の流体容器装着アダプタ。
【請求項６】
前記第二の取手部は、一対を成す前記蓋半体同士の境界部に沿って設けられることを特徴とする請求項３又は５に記載の流体容器装着アダプタ。
【請求項７】
一対を成す前記蓋半体は、前記開口部の閉蓋時において、互いに嵌合し得て着脱自在に構成される嵌合部を有することを特徴とする請求項３に記載の流体容器装着アダプタ。
【請求項８】
前記流体容器は口部を有し、上記口部を前記露出口に嵌込可能に構成され、前記蓋部には前記露出口に嵌め込まれた上記口部を、指示し且つ位置決めして保持する位置決め部が設けられることを特徴とする請求項１乃至７の何れかに記載の流体容器装着アダプタ。
【請求項９】
前記第一の取手部及び／又は前記第二の取手部は、前記本体部及び／又は前記蓋部に設けられている前記基端部に、それぞれ回動自在に構成された多段のヒンジ部を有することを特徴とする請求項１乃至８の何れかに記載の流体容器装着アダプタ。
【請求項１０】
前記第一の取手部及び／又は前記第二の取手部は、前記本体部及び／又は前記蓋部に設けられている前記基端部に、回動自在に構成されたヒンジ部を有し、上記ヒンジ部は、基端部の延設直角方向に対して傾斜して設けられることを特徴とする請求項４乃至９の何れかに記載の流体容器装着アダプタ。
【請求項１１】
前記第二の取手部は、前記蓋部に設けられている前記基端部に、回動自在に構成されたヒンジ部を有し、上記ヒンジ部は、前記基端部の延設直角方向に対して傾斜して設けられる第一ヒンジ部と、上記第一ヒンジ部に対して略直交して設けられる第二ヒンジ部とから構成されることを特徴とする請求項４乃至９の何れかに記載の流体容器装着アダプタ。
【請求項１２】
前記第二の取手部は、前記蓋部に設けられている前記基端部のうち、前記露出口に近い側の前記基端部の延設長さが他方の前記基端部の延設長さよりも短く設定されることを特徴とする請求項４乃至１１の何れかに記載の流体容器装着アダプタ。
【請求項１３】
それぞれ独立に回動可能なヒンジ部が接近して複数段形成されて構成されることを特徴とする多段ヒンジ構造。
【請求項１４】
互いに接近して設けられるヒンジ部の回転軸間の相対傾斜角が０°より大きく設定されて構成されることを特徴とする請求項１３に記載の多段ヒンジ構造。
【請求項１５】
互いに接近して設けられる一対のヒンジ部の回転軸間の相対傾斜角が略直角に設定されて構成されることを特徴とする請求項１３又は１４に記載の多段ヒンジ構造。
【請求項１６】
ヒンジ連結される基部と、該基部から延設される回動部とから成るヒンジ連結部において、ヒンジ部が上記回動部の延設直角方向に対して傾斜した回転軸を有することを特徴とする請求項１３乃至１５の何れかに記載の多段ヒンジ構造。
【発明の詳細な説明】
【技術分野】
【０００１】
本発明は、飲料等の流体を収容する流体容器を収納し得、装着対象に対して高精度且つ確実に位置決め装着可能とする流体容器装着アダプタ及び多段ヒンジ構造に関する。
【背景技術】
【０００２】
給液装置の一種であるウォータサーバは、例えば、水を収容する流体容器がサーバ本体の上側等に設けられた容器装着部に装着されると、流体容器からサーバ本体内の貯留容器に流体が流下されて貯留され、貯留容器で加熱又は冷却された後に、その流体が吐出孔から吐出される（例えば特許文献１〜３参照。）。
【０００３】
このような給液装置において、ユーザは、満水の流体容器を容器装着部にセットするとき、流体容器を、口部が例えば下方を向くように回転させる等して容器装着部に対向するように回転させた後に上方の容器装着部まで持ち上げる等して、移動させる必要がある。このような満水の流体容器を容器装着部にセットする作業は、重量によっては大変な作業となる。更に、流体容器が可撓性を有する容器である場合には、容器の形状が変形するので把持し難く、より一層大変な作業となる。
【先行技術文献】
【特許文献】
【０００４】
【特許文献１】特開平７−１０８２７７号公報
【特許文献２】特開２０１１−４６４４６号公報
【特許文献３】特開２０１１−１０２１４６号公報
【発明の概要】
【発明が解決しようとする課題】
【０００５】
本発明は、以上のような課題に鑑みてなされたものであり、流体容器を収納することが出来ると共に、容易に移動させることが出来る流体容器装着アダプタ及び多段ヒンジ構造を提供することを目的とする。
【課題を解決するための手段】
【０００６】
本発明に係る流体容器装着アダプタは、流体を収容する流体容器を収納し得、上記流体容器を出し入れ可能とする開口部と、収納された上記流体容器の一部を外部に露出させ得る、上記開口部の成す開口面に対して異なる角度の開口面となるように設けられる露出口と、第一の取手部と、を有する本体部と、上記本体部に設けられ、上記開口部を開閉し得、第二の取手部を有する蓋部と、を備えることを特徴とする。
【０００７】
また、前記開口部の成す開口面に対する前記露出口の成す開口面の設定角度が略直角であることを特徴とする。
【０００８】
また、前記蓋部は、前記本体部における、前記露出口に直交し且つ対向する各側面にそれぞれ対向して設けられ、観音開き式に開閉可能な一対の蓋半体で構成されることを特徴とする。
【０００９】
また、前記第一の取手部と、第二の取手部とは、把持可能に延設されて成る把持部と該把持部の両端からそれぞれ該把持部に対して略直交して延設される基端部とを有して略コ字形に形成され、それぞれ互いに略直交した向きで設けられることを特徴とする。
【００１０】
また、前記第二の取手部は、一対を成す前記蓋半体のそれぞれに一つずつ設けられることを特徴とする。
【００１１】
また、前記第二の取手部は、一対を成す前記蓋半体同士の境界部に沿って設けられることを特徴とする。
【００１２】
また、一対を成す前記蓋半体は、前記開口部の閉蓋時において、互いに嵌合し得て着脱自在に構成される嵌合部を有することを特徴とする。
【００１３】
また、流体容器は口部を有し、上記口部を前記露出口に嵌込可能に構成され、前記蓋部には前記露出口に嵌め込まれた上記口部を、指示し且つ位置決めして保持する位置決め部が設けられることを特徴とする。
【００１４】
また、前記第一の取手部及び／又は前記第二の取手部は、前記本体部及び／又は前記蓋部に設けられている前記基端部に、それぞれ回動自在に構成された多段のヒンジ部を有することを特徴とする。
【００１５】
また、前記第一の取手部及び／又は前記第二の取手部は、前記本体部及び／又は前記蓋部に設けられている前記基端部に、回動自在に構成されたヒンジ部を有し、上記ヒンジ部は、基端部の延設直角方向に対して傾斜して設けられることを特徴とする。
【００１６】
また、前記第二の取手部は、前記蓋部に設けられている前記基端部に、回動自在に構成されたヒンジ部を有し、上記ヒンジ部は、前記基端部の延設直角方向に対して傾斜して設けられる第一ヒンジ部と、上記第一ヒンジ部に対して略直交して設けられる第二ヒンジ部とから構成されることを特徴とする。
【００１７】
また、前記第二の取手部は、前記蓋部に設けられている前記基端部のうち、前記露出口に近い側の前記基端部の延設長さが他方の前記基端部の延設長さよりも短く設定されることを特徴とする。
【００１８】
また、本発明に係る多段ヒンジ構造は、それぞれ独立に回動可能なヒンジ部が接近して複数段形成されて構成されることを特徴とする。
【００１９】
また、互いに接近して設けられるヒンジ部の回転軸間の相対傾斜角が０°より大きく設定されて構成されることを特徴とする。
【００２０】
また、互いに接近して設けられる一対のヒンジ部の回転軸間の相対傾斜角が略直角に設定されて構成されることを特徴とする。
【００２１】
また、ヒンジ連結される基部と、該基部から延設される回動部とから成るヒンジ連結部において、ヒンジ部が上記回動部の延設直角方向に対して傾斜した回転軸を有することを特徴とする。
【発明の効果】
【００２２】
本発明によれば、本体部の開口部から口部が露出口に挿通された状態で流体容器が本体部内に配設され、次いで、蓋部によって本体部の開口部が閉塞されることで、本体部内に流体容器を収納することが出来る。更に、本発明によれば、蓋部に蓋取手部が設けられ、本体部の下面に本体取手部が設けられているので、流体容器を容器装着部に装着するとき、流体容器を、容易に、口部が容器装着部に対向するように回転させて容器装着部まで持ち上げて移動させることが出来る。
【図面の簡単な説明】
【００２３】
【図１】流体容器を示した斜視図である。
【図２】開口部が開口された状態の流体容器装着アダプタを示した前方上方斜視図である。
【図３】開口部が開口された流体容器装着アダプタを示した平面図である。
【図４】開口部が閉塞された流体容器装着アダプタを示した前方上方斜視図である。
【図５】係合凸部を示した斜視図である。
【図６】開口部が開口された流体容器装着アダプタを示した底面図である。
【図７】係合凹部を示した斜視図である。
【図８】開口部が閉塞された流体容器装着アダプタを示した前方下方斜視図である。
【図９】第一上部取手部及び第二上部取手部を示した正面断面図である。
【図１０】第一上部取手部及び第二上部取手部を示した斜視断面図である。
【図１１】流体容器装着アダプタの変形例を示した平面図である。
【図１２】流体容器装着アダプタの変形例を示した底面図である。
【発明を実施するための形態】
【００２４】
以下、本発明を適用した流体容器装着アダプタについて、図面を参照しながら詳細に説明する。なお、本発明は、以下の例に限定されるものではなく、本発明の要旨を逸脱しない範囲で任意に変更可能である。
【００２５】
先ず、本発明を適用した流体容器装着アダプタに収納される流体容器１００について説明する。
【００２６】
この流体容器１００は、図１に示すように、例えば、ミネラルウォータ等の流体を貯留する容器であって、先端に口部１０１が設けられており、この口部１０１がキャップ１０２で閉塞されている。そして、流体容器１００は、先ず、例えば、流体容器装着アダプタ１に収納される。次いで、流体容器１００は、ユーザ等によって口部１０１が下方を向くように回転される等して、ウォータサーバ等の給液装置の容器装着部に対向するように回転される。次いで、流体容器１００は、口部１０１を下方に向けたまま、容器装着部まで持ち上げられる等して、給液装置に着脱可能に装着される。
【００２７】
具体的に、流体容器１００は、可撓性を有し、容量が可変の可撓性容器であって、例えば、ポリプロピレン、ポリエチレン、ポリアミド等の合成樹脂材料でブロー成形等によって成形されている。また、これらの合成樹脂シートを用いて製袋した容器であっても良い。更に、合成樹脂シートを用いる場合には、このシートは、同種又は異種の複数のシートの積層シートであっても良く、例えば、ポリエチレン、ポリプロピレン、ポリアミド、ポリエチレンテレフタレート等の積層シートを用いることが出来る。また、複数枚の樹脂シートを重ね合わせて製袋したものであっても良い。この際、流体を水とする場合には、水と接する面は、臭いの発生しにくい素材を選択することが望ましい。また、キャップ１０２は、例えば、ポリプロピレン、ポリエチレン等の合成樹脂を成形してなる。
【００２８】
なお、この流体容器１００には、流体として、水、ミネラルウォータ等の他に、ジュース、コーヒー、紅茶などの清涼飲料、酒類、醤油、みりん、ドレッシング、味噌などの流体調味料、みそ汁やコーンスープなどの流体料理等を含む飲食料や、工業品等の流体、粘性流体、ゲル状体、スラリー状体などを収容することが出来る。
【００２９】
更に、この流体容器１００は、容量が可変の可撓性容器に限定されるものではなく、例えば合成樹脂材料をブロー成形等によって成形して成る容量が可変でないハード容器であっても良い。
【００３０】
次に、上述した流体容器１００を収納する流体容器装着アダプタ１について説明する。
【００３１】
図２に示すように、流体容器装着アダプタ１は、流体容器１００が収納される上面開口の箱状の本体部１０と、本体部１０の開口部を開閉する蓋部２０とを備えている。
【００３２】
本体部１０は、例えば、ポリプロピレン等の合成樹脂で設けられ、上面開口の箱状に形成されている。具体的に、本体部１０は、長さ方向の前面１０ａと後面１０ｂ、幅方向の左側面１０ｃと右側面１０ｄ、高さ方向の下面１０ｅとで構成されている。更に、本体部１０には、本体部１０の強度を高めるために、左側面１０ｃと下面１０ｅと右側面１０ｄとに亘って設けられた凸状又は凹状のリブ部１１が長さ方向に所定の間隔をあけて複数個形成されている。
【００３３】
また、図２に示すように、前面１０ａには、本体部１０の内部に収納される流体容器１００の口部１０１を外部に露出させる露出口１２が形成されている。この露出口１２は、例えばＵ字状に開口されて、本体部１０の開口部と連設されている。更に、露出口１２は、幅方向の大きさが流体容器１００の口部１０１よりも大きく設けられている。従って、本体部１０には、口部１０１を露出口１２に挿通させると共にキャップ１０２を外部に露出させた状態で、流体容器１００が収納される。
【００３４】
また、図２に示すように、本体部１０には、開口部を開閉する蓋部２０が設けられている。更に、蓋部２０は、本体部１０と同様に、ポリプロピレン等の合成樹脂で設けられている。具体的に、蓋部２０は、左側面１０ｃに第一蓋ヒンジ部２１を介して回動自在に設けられた第一蓋半体２２と、右側面１０ｄに第二蓋ヒンジ部２３を介して回動自在に設けられた第二蓋半体２４とで構成されている。すなわち、第一蓋半体２２及び第二蓋半体２４は、観音開き式に本体部１０の開口部を開閉する。
【００３５】
第一蓋半体２２は、例えば、下面及び右側面が開口された箱状に形成されている。具体的に、第一蓋半体２２は、前面２２ａと後面２２ｂと左側面２２ｃと上面２２ｆとで構成されている。更に、第一蓋半体２２は、幅方向の長さが本体部１０の幅方向の長さの約半分程度に設けられている。更に、図３に示すように、第一蓋半体２２には、強度を高めるために、左側面２２ｃと上面２２ｆとに亘って設けられた凸状又は凹状のリブ部２５が長さ方向に所定の間隔をあけて複数個形成されている。なお、第一蓋半体２２は、一つの第一蓋ヒンジ部２１を介して左側面１０ｃに設けられるようにしても良く、二つの第一蓋ヒンジ部２１から成る二段ヒンジ部を介して左側面１０ｃに設けられるようにしても良い。
【００３６】
第二蓋半体２４は、図２に示すように、例えば、下面及び左側面が開口された箱状に形成されている。具体的に、第二蓋半体２４は、前面２４ａと後面２４ｂと右側面２４ｄと上面２４ｆとで構成されている。更に、第二蓋半体２４は、幅方向の長さが本体部１０の幅方向の長さの約半分程度に設けられている。すなわち、第一蓋半体２２と第二蓋半体２４とを合わせた幅方向の長さが本体部１０の幅方向の長さと略同じ長さとなる。更に、第二蓋半体２４には、強度を高めるために、右側面２４ｄと上面２４ｆとに亘って凸状又は凹状のリブ部２６が長さ方向に所定の間隔をあけて複数個形成されている。なお、第二蓋半体２４は、一つの第二蓋ヒンジ部２３を介して右側面１０ｄに設けられるようにしても良く、二つの第二蓋ヒンジ部２３から成る二段ヒンジ部を介して右側面１０ｄに設けられるようにしても良い。
【００３７】
また、図２に示すように、第二蓋半体２４には、係合凸部２７が設けられ、第一蓋半体２２には、係合凸部２７が係合される係合凹部２８が設けられている。この係合凸部２７は、図４に示すように、第一蓋半体２２と第二蓋半体２４とが本体部１０の開口部を閉塞する際に係合凹部２８に係合されることで、第一蓋半体２２と第二蓋半体２４とが簡単に開かないようにロックする。
【００３８】
具体的に、図５に示すように、係合凸部２７は、上面２４ｆの幅方向の端部から幅方向に突出した突出片２７ａと、第二蓋半体２４が本体部１０の開口部を閉塞した際に開口部側となる突出片２７ａの裏面から面方向に突出した段差部２７ｂと、段差部２７ｂの幅方向の先端部に幅方向に突出した係合部２７ｃと、係合部２７ｃが幅方向に変形し易くするために、段差部２７ｂに長さ方向に形成されたスリット２７ｄとで構成されている。突出片２７ａは、例えば略矩形状に形成されている。段差部２７ｂは、例えば幅方向は突出片２７ａと面一となるが長さ方向は突出片２７ａよりも一回り小さな矩形状に形成されている。係合部２７ｃは、例えば円弧状に形成されている。スリット２７ｄは、例えば長孔状に形成されている。そして、図４に示すように、係合凸部２７は、第一蓋半体２２と第二蓋半体２４とが本体部１０の開口部を閉塞する際に、第一蓋半体２２の係合凹部２８に収納されて係合される。
【００３９】
係合凹部２８は、図６及び図７に示すように、上面２２ｆの幅方向の端部に形成され、第二蓋半体２４の段差部２７ｂが収納される収納貫通部２８ａと、上面２２ｆの外部側の表面の収納貫通部２８ａの周囲に形成され、第二蓋半体２４の突出片２７ａが収納される凹状の収納凹部２８ｂと、上面２２ｆの内部側の裏面の収納貫通部２８ａの周囲に形成され、第二蓋半体２４の係合部２７ｃが係合される凹状の被係合部２８ｃとで構成されている。収納貫通部２８ａは、例えば第二蓋半体２４の段差部２７ｂと略同じ形状同じ大きさの略矩形状の貫通口である。収納凹部２８ｂは、例えば第二蓋半体２４の突出片２７ａとほぼ同じ形状同じ大きさの略矩形状の凹部である。更に、収納凹部２８ｂは、突出片２７ａが収納された際に突出片２７ａと上面２２ｆとが面一となるように設けられている。被係合部２８ｃは、係合部２７ｃと同様に、例えば円弧状の凹部である。そして、図４に示すように、係合凹部２８は、第一蓋半体２２と第二蓋半体２４とが本体部１０の開口部を閉塞する際に、第二蓋半体２４の係合凸部２７が収納されて係合される。更に、係合凹部２８は、突出片２７ａが収納された際に突出片２７ａと上面２２ｆとが面一となるように設けられているので、例えば流体容器１００を容器装着部に装着した後に流体容器装着アダプタ１を覆う保護カバー等を取り付ける際に、保護カバーが引っ掛かり難く作業性が良く、更に、保護カバーを小型化することが出来る。
【００４０】
なお、第二蓋半体２４に係合凸部２７が設けられ、第一蓋半体２２に係合凹部２８が設けられることに限定されるものではなく、第二蓋半体２４に係合凹部２８が設けられ、第一蓋半体２２に係合凸部２７が設けられるようにしても良い。
【００４１】
また、突出片２７ａ、段差部２７ｂ、係合部２７ｃ、スリット２７ｄ、収納貫通部２８ａ、収納凹部２８ｂ、被係合部２８ｃは、上記形状に限定されるものではなく、適宜変更可能である。
【００４２】
また、図４に示すように、第一蓋半体２２の前面２２ａには、第一蓋半体２２が本体部１０の開口部を閉塞する際に、流体容器１００の口部１０１を位置決めする第一位置決め部２９が設けられている。更に、第二蓋半体２４の前面２４ａには、第二蓋半体２４が本体部１０の開口部を閉塞する際に、流体容器１００の口部１０１を位置決めする第二位置決め部３０が設けられている。
【００４３】
第一位置決め部２９は、第一蓋半体２２の前面２２ａの高さ方向の下端から下方に突設されている。更に、第一位置決め部２９は、第一蓋半体２２が本体部１０の開口部を閉塞する際に、露出口１２に挿入されて、露出口１２に挿通されている流体容器１００の口部１０１を押圧する。更に、第一位置決め部２９の先端は、流体容器１００の口部１０１に密接して流体容器１００の口部１０１を均一に押圧するために、流体容器１００の口部１０１の形状に対応するように湾曲形成されている。
【００４４】
第二位置決め部３０は、第二蓋半体２４の前面２４ａの高さ方向の下端から下方に突設されている。更に、第二位置決め部３０は、第二蓋半体２４が本体部１０の開口部を閉塞する際に、露出口１２に挿入されて、露出口１２に挿通されている流体容器１００の口部１０１を押圧する。更に、第二位置決め部３０の先端は、流体容器１００の口部１０１に密接して流体容器１００の口部１０１を均一に押圧するために、流体容器１００の口部１０１の形状に対応するように湾曲形成されている。
【００４５】
従って、第一蓋半体２２と第二蓋半体２４とが本体部１０の開口部を閉塞する際には、第一位置決め部２９及び第二位置決め部３０が露出口１２に挿通されて既に露出口１２に挿通されている流体容器１００の口部１０１を押圧することで、流体容器１００の口部１０１を位置決めする。なお、第一位置決め部２９及び第二位置決め部３０は、流体容器１００の口部１０１に形成された溝部に嵌合しつつ押圧するようにしても良い。これにより、第一位置決め部２９及び第二位置決め部３０は、より確実に位置決めすることが出来る。更に、第一位置決め部２９及び第二位置決め部３０は、流体容器１００の口部１０１を押圧することに限定されるものではなく、流体容器１００の口部１０１との間に隙間を設けるようにしても良い。
【００４６】
また、図４に示すように、第一蓋半体２２の上面２２ｆには、流体容器装着アダプタ１を移動させる際に把持される第一蓋取手部３１が設けられている。更に、第二蓋半体２４の上面２４ｆには、第一蓋取手部３１と共に、流体容器装着アダプタ１を移動させる際に把持される第二蓋取手部３２が設けられている。
【００４７】
第一蓋取手部３１は、図３に示すように、略コ字状又は略Ｕ字状に形成され、上面２２ｆに長さ方向に向けて把持ヒンジ部３３を介して回動自在に設けられている。更に、第一蓋取手部３１は、流体容器１００を収納した際の流体容器装着アダプタ１の重心よりも後面２２ｂ側に設けるようにすることが好ましい。
【００４８】
また、第一蓋取手部３１には、例えば凸状の把持係合部３４が形成されている。この把持係合部３４は、例えば第一蓋取手部３１の把持部３１ａに外側に向けて突設された凸部であって、円弧状等に形成されている。更に、第一蓋半体２２の上面２２ｆには、第一蓋取手部３１が収納可能な把持収納貫通部３５が形成されている。この把持収納貫通部３５は、例えば、第一蓋取手部３１と同じ形状同じ大きさに形成された貫通口であり、ここでは第一蓋取手部３１と同様に略コ字状又は略Ｕ字状等に形成されている。
【００４９】
更に、上面２２ｆの裏面側の把持収納貫通部３５の周囲には、第一蓋取手部３１が把持収納貫通部３５に収納された際に把持係合部３４に対応する位置に、把持係合部３４と係合する凹状の把持収納係合部３６が形成されている。この把持収納係合部３６は、例えば、把持係合部３４と同じ形状同じ大きさに形成され、ここでは把持係合部３４と同様に円弧状等に形成されている。なお、把持係合部３４及び把持収納係合部３６は、円弧状であることに限定されるものではなく、係合可能であれば如何なる形状であっても良い。
【００５０】
そして、把持係合部３４は、第一蓋取手部３１が把持収納貫通部３５に収納された際に、把持収納係合部３６に係合されることで、第一蓋取手部３１を把持収納貫通部３５内に保持する。その一方で、把持係合部３４は、把持収納貫通部３５の周囲に形成された把持取出貫通部３７からユーザ等によって第一蓋取手部３１が把持されて上面２２ｆから離間する方向に所定の押圧力以上で回動されると、把持収納係合部３６との係合状態を解除する。
【００５１】
更に、第一蓋取手部３１の把持部３１ａは、第一蓋取手部３１が把持収納貫通部３５に収納された際に、後面２２ｂ側が前面２２ａ側よりも左側面２２ｃに近接するように、長さ方向に対して傾斜して設けられている。従って、ユーザは、第一蓋取手部３１を把持する際には第一蓋取手部３１の把持部３１ａを手の平で受けることが出来るので、把持し易く、流体容器装着アダプタ１を移動させ易い。
【００５２】
また、把持ヒンジ部３３は、第一ヒンジ部３３ａと第二ヒンジ部３３ｂとで構成されている。第一ヒンジ部３３ａは、前面２２ａから後面２２ｂに向かうに連れて第一蓋取手部３１に近接するように、長さ方向に対して傾斜して設けられている。第二ヒンジ部３３ｂは、第一ヒンジ部３３ａの後面２２ｂ側の端部で交わり、第一ヒンジ部３３ａと略直交するように設けられている。すなわち、第二ヒンジ部３３ｂは、前面２２ａから後面２２ｂに向かうに連れて第一蓋取手部３１から離間するように、長さ方向に対して傾斜して設けられている。
【００５３】
従って、第一蓋取手部３１は、図４に示すように、直交する第一ヒンジ部３３ａ及び第二ヒンジ部３３ｂをそれぞれ上面２２ｆから離間するように外部側（谷折り）に折ることで、長さ方向に略平行で上面２２ｆに対して略直交するように設けることが出来る。
【００５４】
更に、第一蓋取手部３１は、前面２２ａ側の第一ヒンジ部３３ａが流体容器装着アダプタ１を持ち上げる際に下側となる前面２２ａから上側となる後面２２ｂに向かうに連れて第一蓋取手部３１に近接するように長さ方向に対して傾斜して設けられているので、ユーザが前面２２ａを下方に向けて第一蓋取手部３１を持って流体容器装着アダプタ１を持ち上げる際に、前面２２ａ側の第一ヒンジ部３３ａが、長さ方向に平行に設けられている場合又は長さ方向に対して左側面２２ｃから離間するように長さ方向に対して傾斜して設けられている場合よりも、切れ難く裂け難い。更に、第一蓋取手部３１は、前面２２ａ側の第一ヒンジ部３３ａと後面２２ｂ側の第一ヒンジ部３３ａとが共に同じ形状で設けられているので、前面２２ａ側の第一ヒンジ部３３ａと後面２２ｂ側の第一ヒンジ部３３ａとに分散して負荷がかかり、切れ難く裂け難い。
【００５５】
第二蓋取手部３２は、図３に示すように、略コ字状又は略Ｕ字状に形成され、上面２４ｆに長さ方向に向けて把持ヒンジ部３８を介して回動自在に設けられている。更に、第二蓋取手部３２は、流体容器１００を収納した際の流体容器装着アダプタ１の重心よりも後面２４ｂ側に設けるようにすることが好ましい。
【００５６】
また、第二蓋取手部３２には、例えば凸状の把持係合部３９が形成されている。この把持係合部３９は、例えば第二蓋取手部３２の把持部３２ａに外側に向けて突設された凸部であって、円弧状等に形成されている。更に、第二蓋半体２４の上面２４ｆには、第二蓋取手部３２が収納可能な把持収納貫通部４０が形成されている。この把持収納貫通部４０は、例えば、第二蓋取手部３２と同じ形状同じ大きさに形成された貫通口であり、ここでは第二蓋取手部３２と同様に略コ字状又は略Ｕ字状等に形成されている。
【００５７】
更に、上面２４ｆの裏面側の把持収納貫通部４０の周囲には、第二蓋取手部３２が把持収納貫通部４０に収納された際に把持係合部３９に対応する位置に、把持係合部３９と係合する凹状の把持収納係合部４１が形成されている。この把持収納係合部４１は、例えば、把持係合部３９とほぼ同じ形状同じ大きさに形成され、ここでは把持係合部３９と同様に略円弧状等に形成されている。
【００５８】
そして、把持係合部３９は、第二蓋取手部３２が把持収納貫通部４０に収納された際に、把持収納係合部４１に係合されることで、第二蓋取手部３２を把持収納貫通部４０内に保持する。その一方で、把持係合部３９は、把持収納貫通部４０の周囲に形成された把持取出貫通部４２からユーザ等によって第二蓋取手部３２が把持されて上面２４ｆから離間する方向に所定の押圧力以上で回動されると、把持収納係合部４１との係合状態を解除する。
【００５９】
更に、第二蓋取手部３２の把持部３２ａは、第二蓋取手部３２が把持収納貫通部４０に収納された際に、後面２４ｂ側が前面２４ａ側よりも右側面２４ｄに近接するように、長さ方向に対して傾斜して設けられている。従って、ユーザは、第二蓋取手部３２を把持する際には第二蓋取手部３２の把持部３２ａを手の平で受けることが出来るので、把持し易く、流体容器装着アダプタ１を移動させ易い。
【００６０】
また、把持ヒンジ部３８は、第一ヒンジ部３８ａと第二ヒンジ部３８ｂとで構成されている。第一ヒンジ部３８ａは、前面２４ａから後面２４ｂに向かうに連れて第二蓋取手部３２に近接するように、長さ方向に対して傾斜して設けられている。第二ヒンジ部３８ｂは、第一ヒンジ部３８ａの後面２４ｂ側の端部で交わり、第一ヒンジ部３８ａと略直交するように設けられている。すなわち、第二ヒンジ部３８ｂは、前面２４ａから後面２４ｂに向かうに連れて第二蓋取手部３２から離間するように、長さ方向に対して傾斜して設けられている。
【００６１】
従って、図４に示すように、第二蓋取手部３２は、直交する第一ヒンジ部３８ａ及び第二ヒンジ部３８ｂをそれぞれ上面２４ｆから離間するように外部側（谷折り）に折ることで、長さ方向に略平行で上面２４ｆに対して略直交するように設けることが出来る。
【００６２】
更に、第二蓋取手部３２は、前面２４ａ側の第一ヒンジ部３８ａが流体容器装着アダプタ１を持ち上げる際に下側となる前面２４ａから上側となる後面２４ｂに向かうに連れて第二蓋取手部３２に近接するように長さ方向に対して傾斜して設けられているので、ユーザが前面２２ａを下方に向けて第二蓋取手部３２を持って流体容器装着アダプタ１を持ち上げる際に、前面２４ａ側の第一ヒンジ部３８ａが、長さ方向に平行に設けられている場合又は長さ方向に対して右側面２４ｄから離間するように長さ方向に対して傾斜して設けられている場合よりも、切れ難く裂け難い。更に、第二蓋取手部３２は、前面２４ａ側の第一ヒンジ部３８ａと後面２４ｂ側の第一ヒンジ部３８ａとが共に同じ形状で設けられているので、前面２４ａ側の第一ヒンジ部３８ａと後面２４ｂ側の第一ヒンジ部３８ａとに分散して負荷がかかり、切れ難く裂け難い。
【００６３】
また、図８に示すように、本体部１０の下面１０ｅには、流体容器装着アダプタ１を移動させる際に把持される本体取手部５０が設けられている。この本体取手部５０は、略コ字状又は略Ｕ字状に形成され、下面１０ｅに幅方向に向けて幅方向に平行な把持ヒンジ部５１を介して回動自在に設けられている。すなわち、本体取手部５０は、第一蓋取手部３１及び第二蓋取手部３２と直交するように設けられている。
【００６４】
また、図３に示すように、本体取手部５０には、例えば凸状の把持係合部５２が形成されている。この把持係合部５２は、例えば本体取手部５０の把持部５０ａに外側に向けて突設された凸部であって、円弧状等に形成されている。更に、本体部１０の下面１０ｅには、本体取手部５０が収納可能な把持収納貫通部５３が形成されている。この把持収納貫通部５３は、例えば、本体取手部５０と同じ形状同じ大きさに形成された貫通口であり、ここでは本体取手部５０と同様に略コ字状又は略Ｕ字状等に形成されている。
【００６５】
更に、下面１０ｅの裏面側の把持収納貫通部５３の周囲には、本体取手部５０が把持収納貫通部５３に収納された際に把持係合部５２に対応する位置に、把持係合部５２と係合する凹状の把持収納係合部５４が形成されている。この把持収納係合部５４は、例えば、把持係合部５２とほぼ同じ形状同じ大きさに形成され、ここでは把持係合部５２と同様に円弧状等に形成されている。なお、把持係合部５２及び把持収納係合部５４は、略円弧状であることに限定されるものではなく、係合可能であれば如何なる形状であっても良い。
【００６６】
そして、把持収納係合部５４は、本体取手部５０が把持収納貫通部５３に収納された際に把持係合部５２に係合されることで、本体取手部５０を把持収納貫通部５３内に保持する。その一方で、把持収納係合部５４は、把持収納貫通部５３の周囲に形成された把持取出貫通部５５からユーザ等によって本体取手部５０が把持されて下面１０ｅから離間する方向に所定の押圧力以上で回動されると、把持係合部５２との係合状態を解除する。
【００６７】
以上のような構成を有する流体容器装着アダプタ１は、射出成形等によって一体成形されて形成される。
【００６８】
ここで、第一蓋半体２２では、第一蓋取手部３１が把持収納貫通部３５に収納された際に把持係合部３４と把持収納係合部３６とが係合される。すなわち、第一蓋取手部３１が把持収納貫通部３５に収納された状態では、把持係合部３４と把持収納係合部３６との間に平面視で重複する箇所（以下、重複部）が生じ、このままでは、第一蓋取手部３１は、他の部材と共に射出成形等によって一体成形することは出来ない。従って、第一蓋取手部３１の初期形状を、第一蓋取手部３１が把持収納貫通部３５に収納された状態で設けるのではなく、図７，図９，図１０に示すように、折目３３ｃを中心に第一蓋取手部３１を上面２２ｆから離間するように上面２２ｆに対して所定の角度外側に折り曲げて、図３に示すように、把持係合部３４と把持収納係合部３６との間に重複部が無いように設ける。この折目３３ｃは、第一ヒンジ部３３ａと第二ヒンジ部３３ｂとの交点から長さ方向に向けて設けられている。
【００６９】
これにより、図３に示すように、第一蓋取手部３１は、初期形状時においては把持係合部３４と把持収納係合部３６との間に重複部が無いので、他の部材と共に射出成形等によって一体成形することが出来る。更に、第一蓋取手部３１は、初期形状時に上面２２ｆに対して所定の角度を有するように形成されているので、初期形状時において把持係合部３４と把持収納係合部３６との間に重複部が無い状態としつつも、折目３３ｃから先端部までの長さが折目３３ｃから把持収納係合部３６までの長さと略同じ長さとすることが出来る。従って、第一蓋取手部３１は、他の部材と共に射出成形等によって一体成形することが出来、把持収納貫通部３５に収納させて、把持係合部３４と把持収納係合部３６とを係合させることが出来る。
【００７０】
同様に、第二蓋半体２４では、第二蓋取手部３２が把持収納貫通部４０に収納された際に把持係合部３９と把持収納係合部４１とが係合される。すなわち、第二蓋取手部３２が把持収納貫通部４０に収納された状態では、把持係合部３９と把持収納係合部４１との間に重複部が生じ、このままでは、第二蓋取手部３２は、他の部材と共に射出成形等によって一体成形することは出来ない。従って、第二蓋取手部３２の初期形状を、第二蓋取手部３２が把持収納貫通部４０に収納された状態で設けるのではなく、図５、図９、図１０に示すように、折目３８ｃを中心に第二蓋取手部３２を上面２４ｆから離間するように上面２４ｆに対して所定の角度外側に折り曲げて、図３に示すように、把持係合部３９と把持収納係合部４１との間に重複部が無いように設ける。この折目３８ｃは、第一ヒンジ部３８ａと第二ヒンジ部３８ｂとの交点から長さ方向に向けて設けられている。
【００７１】
これにより、図３に示すように、第二蓋取手部３２は、初期形状時においては把持係合部３９と把持収納係合部４１との間に重複部が無いので、他の部材と共に射出成形等によって一体成形することが出来る。更に、第二蓋取手部３２は、初期形状時に上面２４ｆに対して所定の角度を有するように形成されているので、初期形状時において把持係合部３９と把持収納係合部４１との間に重複部が無い状態としつつも、折目３８ｃから先端部までの長さが折目３８ｃから把持収納係合部４１までの長さと略同じ長さとすることが出来る。従って、第二蓋取手部３２は、他の部材と共に射出成形等によって一体成形することが出来、把持収納貫通部４０に収納させて、把持係合部３９と把持収納係合部４１とを係合させることが出来る。
【００７２】
また、本体部１０の下面１０ｅでは、本体取手部５０が把持収納貫通部５３に収納された際に、把持係合部５２と把持収納係合部５４とが係合される。すなわち、本体取手部５０が把持収納貫通部５３に収納された状態では、把持係合部５２と把持収納係合部５４との間に重複部を生じ、このままでは、本体取手部５０は、他の部材と共に射出成形等によって一体成形することは出来ない。従って、本体取手部５０の初期形状を、本体取手部５０が把持収納貫通部５３に収納された状態で設けるのではなく、把持ヒンジ部５１を介して本体取手部５０を下面１０ｅから離間するように下面１０ｅに対して所定の角度外側に折り曲げて、把持係合部５２と把持収納係合部５４との間に重複部が無いように設ける。
【００７３】
これにより、本体取手部５０は、初期形状時においては把持係合部５２と把持収納係合部５４との間に重複部が無いので、他の部材と共に射出成形等によって一体成形することが出来る。更に、本体取手部５０は、初期形状時に下面１０ｅに対して所定の角度を有するように形成されているので、初期形状時において把持係合部５２と把持収納係合部５４との間に重複部が無い状態としつつも、把持ヒンジ部５１から先端部までの長さが把持ヒンジ部５１から把持収納係合部５４までの長さと略同じ長さとすることが出来る。従って、本体取手部５０は、他の部材と共に射出成形等によって一体成形することが出来、把持収納貫通部５３に収納させて、把持係合部５２と把持収納係合部５４とを係合させることが出来る。
【００７４】
次に、流体容器装着アダプタ１に流体容器１００を収納して、給液装置に装着されるまでの一連の動きについて説明する。
【００７５】
先ず、流体容器装着アダプタ１は、第一蓋半体２２及び第二蓋半体２４が外側に回動されて、本体部１０の開口部が開口された状態で床等に載置される。この際、流体容器装着アダプタ１は、本体部１０の下面１０ｅと床とが接触するように、横に倒した状態で床に載置される。
【００７６】
次いで、流体容器装着アダプタ１は、口部１０１が露出口１２に挿通されると共にキャップ１０２が外部に露出された状態で、満水の流体容器１００が本体部１０内に収納される。
【００７７】
次いで、流体容器装着アダプタ１は、第一蓋半体２２及び第二蓋半体２４が内側に回動されて、本体部１０の開口部が閉塞される。次いで、流体容器装着アダプタ１は、段差部２７ｂが収納貫通部２８ａに収納され、突出片２７ａが収納凹部２８ｂに収納され、係合部２７ｃが被係合部２８ｃに係合されて、係合凸部２７が係合凹部２８に収納されつつ係合される。この際、流体容器装着アダプタ１は、第一位置決め部２９及び第二位置決め部３０が露出口１２に挿通されて既に露出口１２に挿通されている流体容器１００の口部１０１を押圧する等して、流体容器１００の口部１０１を位置決めする。
【００７８】
以上のようにして、流体容器装着アダプタ１に流体容器１００が収納される。
【００７９】
次いで、流体容器１００が収納された流体容器装着アダプタ１は、ユーザ等よって第一蓋取手部３１及び第二蓋取手部３２が把持される。そして、流体容器装着アダプタ１は、本体部１０の下面１０ｅと前面１０ａとの間の角部を中心にして、本体部１０の後面１０ｂ側が傾けるようにして引き起こされて、流体容器１００の口部１０１が下方を向くように回転される。
【００８０】
次いで、流体容器装着アダプタ１は、ユーザ等の一方の手によって第一蓋取手部３１及び第二蓋取手部３２が把持された状態で、ユーザ等の他方の手によって本体取手部５０が把持されて、流体容器１００の口部１０１が下方を向いた状態で容器装着部まで持ち上げられる。そして、流体容器装着アダプタ１は、給液装置に装着される。
【００８１】
以上のようにして、流体容器１００が収納された流体容器装着アダプタ１が給液装置に着脱可能に装着される。
【００８２】
以上のように、流体容器装着アダプタ１は、本体部１０の開口部から口部１０１が露出口１２に挿通されてキャップ１０２が外部に露出された状態で流体容器１００が本体部１０内に配設され、次いで、第一蓋半体２２及び第二蓋半体２４によって本体部１０の開口部が閉塞されることで、本体部１０内に流体容器１００を収納することが出来る。更に、流体容器装着アダプタ１は、第一蓋半体２２に第一蓋取手部３１が設けられ、第二蓋半体２４に第二蓋取手部３２が設けられ、本体部１０の下面１０ｅに本体取手部５０が設けられているので、流体容器１００を容器装着部に装着する際に、流体容器１００を、簡単に、口部１０１が下方を向くように回転させる等して口部１０１が容器装着部に対向するように回転させて容器装着部まで持ち上げることが出来、容易に移動させることが出来る。
【００８３】
また、流体容器装着アダプタ１は、第一蓋半体２２の第一蓋取手部３１及び第二蓋半体２４の第二蓋取手部３２が本体部１０の下面１０ｅの本体取手部５０と直交するように長さ方向Ｘに向けて設けられている。従って、流体容器装着アダプタ１は、例えば横に倒した状態で床等に載置されている流体容器１００を、本体部１０の下面１０ｅと前面１０ａとの間の角部を中心にして本体部１０の後面１０ｂ側だけを持ち上げて、流体容器１００の口部１０１が下方を向くように回転させる際に、把持し易く、持ち上げ易い。
【００８４】
また、第一蓋取手部３１は、前面２２ａ側の第一ヒンジ部３３ａが、流体容器装着アダプタ１を持ち上げる際に下側となる前面２２ａから上側となる後面２２ｂに向かうに連れて第一蓋取手部３１に近接するように傾斜して設けられている。従って、流体容器装着アダプタ１は、ユーザが第一蓋取手部３１を持って流体容器装着アダプタ１を持ち上げる際に、前面２２ａ側の第一ヒンジ部３３ａが、長さ方向に平行に設けられている場合又は長さ方向に対して第一蓋取手部３１から離間するように傾斜して設けられている場合よりも、切れ難く裂け難い。更に、第二蓋取手部３２は、前面２４ａ側の第一ヒンジ部３８ａが前面２４ａから後面２４ｂに向かうに連れて第二蓋取手部３２に近接するように傾斜して設けられている。従って、流体容器装着アダプタ１は、ユーザが第二蓋取手部３２を持って流体容器装着アダプタ１を持ち上げる際に、前面２４ａ側の第一ヒンジ部３８ａが、長さ方向に平行に設けられている場合又は長さ方向に対して第二蓋取手部３２から離間するように傾斜して設けられている場合よりも、切れ難く裂け難い。
【００８５】
また、流体容器装着アダプタ１は、第一蓋取手部３１の初期形状を、折目３３ｃを中心に第一蓋取手部３１を上面２２ｆから離間するように上面２２ｆに対して所定の角度外側に折り曲げて、把持係合部３４と把持収納係合部３６との間に重複部が無いように設けられている。これにより、第一蓋取手部３１は、初期形状時においては把持係合部３４と把持収納係合部３６との間に重複部が無いので、他の部材と共に射出成形等によって一体成形することが出来る。更に、第一蓋取手部３１は、初期形状時に上面２２ｆに対して所定の角度を有するように形成されているので、初期形状時において把持係合部３４と把持収納係合部３６との間に重複部が無い状態としつつも、折目３３ｃから先端部までの長さが折目３３ｃから把持収納係合部３６までの長さと略同じ長さとすることが出来る。従って、第一蓋取手部３１は、他の部材と共に射出成形等によって一体成形することが出来、把持収納貫通部３５に収納させて、把持係合部３４と把持収納係合部３６とを係合させることが出来る。
【００８６】
更に、流体容器装着アダプタ１は、第二蓋取手部３２の初期形状を、折目３８ｃを中心に第二蓋取手部３２を上面２４ｆから離間するように上面２４ｆに対して所定の角度外側に折り曲げて、把持係合部３９と把持収納係合部４１との間に重複部が無いように設けている。これにより、第二蓋取手部３２は、初期形状時においては把持係合部３９と把持収納係合部４１との間に重複部が無いので、他の部材と共に射出成形等によって一体成形することが出来る。更に、第二蓋取手部３２は、初期形状時に上面２４ｆに対して所定の角度を有するように形成されているので、初期形状時において把持係合部３９と把持収納係合部４１との間に重複部が無い状態としつつも、折目３８ｃから先端部までの長さが折目３８ｃから把持収納係合部４１までの長さと略同じ長さとすることが出来る。従って、第二蓋取手部３２は、他の部材と共に射出成形等によって一体成形することが出来、把持収納貫通部４０に収納させて、把持係合部３９と把持収納係合部４１とを係合させることが出来る。
【００８７】
更に、流体容器装着アダプタ１は、本体取手部５０の初期形状を、把持ヒンジ部５１を介して本体取手部５０を下面１０ｅから離間するように下面１０ｅに対して所定の角度外側に折り曲げて、把持係合部５２と把持収納係合部５４との間に重複部が無いように設けている。これにより、本体取手部５０は、初期形状時においては把持係合部５２と把持収納係合部５４との間に重複部が無いので、他の部材と共に射出成形等によって一体成形することが出来る。更に、本体取手部５０は、初期形状時に下面１０ｅに対して所定の角度を有するように形成されているので、初期形状時において把持係合部５２と把持収納係合部５４との間に重複部が無い状態としつつも、把持ヒンジ部５１から先端部までの長さが把持ヒンジ部５１から把持収納係合部５４までの長さと略同じ長さとすることが出来る。従って、本体取手部５０は、他の部材と共に射出成形等によって一体成形することが出来、把持収納貫通部５３に収納させて、把持係合部５２と把持収納係合部５４とを係合させることが出来る。
【００８８】
また、流体容器装着アダプタ１は、第一蓋半体２２の前面２２ａに第一位置決め部２９が設けられ、第二蓋半体２４の前面２４ａに第二位置決め部３０が設けられているので、第一蓋半体２２と第二蓋半体２４とが本体部１０の開口部を閉塞する際、第一位置決め部２９及び第二位置決め部３０が露出口１２に挿通されて既に露出口１２に挿通されている流体容器１００の口部１０１を押圧する等して、流体容器１００の口部１０１を位置決めすることが出来る。従って、流体容器装着アダプタ１は、正確且つ確実に、流体容器１００を容器装着部に装着することが出来る。
【００８９】
なお、流体容器装着アダプタ１は、把持係合部３４を、第一蓋取手部３１の把持部３１ａに複数個設けるようにしても良い。更に、流体容器装着アダプタ１は、把持係合部３９を、第二蓋取手部３２の把持部３２ａに複数個設けるようにしても良い。更に、流体容器装着アダプタ１は、把持係合部５２を、本体取手部５０の把持部５０ａに複数個設けるようにしても良い。
【００９０】
また、流体容器装着アダプタ１は、把持係合部３４を、第一蓋取手部３１の把持部３１ａの両側の連結部３１ｂに少なくとも一つ設けるようにしても良い。更に、流体容器装着アダプタ１は、把持係合部３９を、第二蓋取手部３２の把持部３２ａの両側の連結部３２ｂに少なくとも一つ設けるようにしても良い。更に、流体容器装着アダプタ１は、把持係合部５２を、本体取手部５０の把持部５０ａの両側の連結部５０ｂに少なくとも一つ設けるようにしても良い。
【００９１】
また、流体容器装着アダプタ１は、図１１に示すように、把持係合部３４を凹状に形成し、把持収納係合部３６を凸状に形成するようにしても良い。更に、流体容器装着アダプタ１は、把持係合部３９を凹状に形成し、把持収納係合部４１を凸状に形成するようにしても良い。更に、流体容器装着アダプタ１は、図１２に示すように、把持係合部５２を凹状に形成し、把持収納係合部５４を凸状に形成するようにしても良い。
【００９２】
また、流体容器装着アダプタ１は、第一蓋取手部３１の初期形状において、折目３３ｃを中心に第一蓋取手部３１を上面２２ｆから離間するように上面２２ｆに対して所定の角度外側に折り曲げて、把持係合部３４と把持収納係合部３６との間に重複部が無いように設けることに限定されるものではなく、図１１に示すように、第一蓋取手部３１の初期形状において、第一ヒンジ部３３ａと第二ヒンジ部３３ｂとで構成される把持ヒンジ部３３を介して、第一蓋取手部３１を上面２２ｆから離間するように上面２２ｆに対して所定の角度外側に折り曲げて、把持係合部３４と把持収納係合部３６との間に重複部が無いように設けるようにしても良い。更に、流体容器装着アダプタ１は、第二蓋取手部３２の初期形状において、第一ヒンジ部３８ａと第二ヒンジ部３８ｂとで構成される把持ヒンジ部３８を介して、第二蓋取手部３２を上面２４ｆから離間するように上面２４ｆに対して所定の角度外側に折り曲げて、把持係合部３９と把持収納係合部４１との間に重複部が無いように設けるようにしても良い。
【００９３】
また、流体容器装着アダプタ１は、流体容器１００の口部１０１が下方を向くように回転させて持ち上げられることに限定されるものではなく、流体容器１００の口部１０１が上方を向くように回転させて持ち上げられるようにしても良い。この際、第一蓋取手部３１は、後面２２ｂ側の第一ヒンジ部３３ａが後面２２ｂから前面２２ａに向かうに連れて第一蓋取手部３１と近接するように長さ方向に対して傾斜して設けるようにする。同様に、第二蓋取手部３２は、後面２４ｂ側の第一ヒンジ部３８ａが後面２４ｂから前面２４ａに向かうに連れて第二蓋取手部３２と近接するように長さ方向に対して傾斜して設けるようにする。すなわち、流体容器装着アダプタ１を持ち上げる際に下側となる第一ヒンジ部３３ａは、流体容器装着アダプタ１を持ち上げる際に下側となる本体部１０の長さ方向の一方の面から上側となる他方の面に向かうに連れて、その蓋取手部に近接するように長さ方向に対して傾斜するように設けるようにする。更に、第一蓋取手部３１及び第二蓋取手部３２は、流体容器１００を収納した際の流体容器装着アダプタ１の重心よりも前面２２ａ，２４ａ側に設けるようにすることが好ましい。
【符号の説明】
【００９４】
１  流体容器装着アダプタ、１０  本体部、１０ａ  前面、１０ｂ  後面、１０ｃ  左側面、１０ｄ  右側面、１０ｅ  下面、１１  リブ部、１２  露出口、２０  蓋部、２１  第一蓋ヒンジ部、２２  第一蓋半体、２２ａ  前面、２２ｂ  後面、２２ｃ  左側面、２２ｆ  上面、２３  第二蓋ヒンジ部、２４  第二蓋半体、２４ａ  前面、２４ｂ  後面、２４ｄ  右側面、２４ｆ  上面、２５  リブ部、２６  リブ部、２７  係合凸部、２７ａ  突出片、２７ｂ  段差部、２７ｃ  係合部、２７ｄ  スリット、２８  係合凹部、２８ａ  収納貫通部、２８ｂ  収納凹部、２８ｃ  被係合部、２９  第一位置決め部、３０  第二位置決め部、３１  第一蓋取手部、３１ａ  把持部、３１ｂ  連結部、３２  第二蓋取手部、３２ａ  把持部、３２ｂ  連結部、３３  把持ヒンジ部、３３ａ  第一ヒンジ部、３３ｂ  第二ヒンジ部、３３ｃ  折目、３４  把持係合部、３５  把持収納貫通部、３６  把持収納係合部、３７  把持取出貫通部、３８  把持ヒンジ部、３８ａ  第一ヒンジ部、３８ｂ  第二ヒンジ部、３８ｃ  折目、３９  把持係合部、４０  把持収納貫通部、４１  把持収納係合部、４２  把持取出貫通部、５０  本体取手部、５０ａ  把持部、５０ｂ  連結部、５１  把持ヒンジ部、５２  把持係合部、５３  把持収納貫通部、５４  把持収納係合部、５５  把持取出貫通部、１００  流体容器、１０１  口部、１０２  キャップ
【図１】
2015205712.tif 000003
【図２】
2015205712.tif 000004
【図３】
2015205712.tif 000005
【図４】
2015205712.tif 000006
【図５】
2015205712.tif 000007
【図６】
2015205712.tif 000008
【図７】
2015205712.tif 000009
【図８】
2015205712.tif 000010
【図９】
2015205712.tif 000011
【図１０】
2015205712.tif 000012
【図１１】
2015205712.tif 000013
【図１２】
2015205712.tif 000014